(57)【要約】【課題】医療機関における医療過誤の発生を防止することができる病院情報システムおよび判定プログラムを提供する。【解決手段】判定部は、取得された患者画像と複数の患者画像のうちの指定された処方指示に関連付けられた患者画像との比較と、取得された薬剤画像と複数の薬剤画像のうちの指定された処方指示に関連付けられた薬剤画像との比較とに基づいて、指定された処方指示と、取得された患者画像と、取得された薬剤画像との組み合わせが正しいか否かを判定する。【選択図】      図１
2018049526.tif 000002
【特許請求の範囲】
【請求項１】
患者へ処方する薬剤に関する複数の処方指示と、複数の患者に関する複数の患者画像と、複数の薬剤に関する複数の薬剤画像とを関連付けて格納するデータベースと、
前記データベースに格納された複数の処方指示の中から実行対象の処方指示を指定する、操作者からの指定操作を受け付ける入力部と、
薬剤投与の実行対象の患者に関する患者画像と、前記実行対象の患者への投与予定の薬剤に関する薬剤画像とを取得する取得部と、
前記取得された患者画像と前記複数の患者画像のうちの前記指定された処方指示に関連付けられた患者画像との比較と、前記取得された薬剤画像と前記複数の薬剤画像のうちの前記指定された処方指示に関連付けられた薬剤画像との比較とに基づいて、前記指定された処方指示と、前記取得された患者画像と、前記取得された薬剤画像との組み合わせが正しいか否かを判定する判定部と、
を具備する病院情報システム。
【請求項２】
前記判定部は、
前記取得された患者画像における第１特徴量と前記指定された処方指示に関連付けられた患者画像における第１特徴量とが一致するか否か判定し、
前記取得された薬剤画像における第２特徴量と前記指定された処方指示に関連付けられた薬剤画像における第２特徴量とが一致するか否かを判定する、
請求項１記載の病院情報システム。
【請求項３】
前記患者画像における第１特徴量は、前記患者の顔の輪郭と、前記患者の肌色と、前記患者の鼻と目との距離とのうちの少なくとも一つであり、
前記薬剤画像における第２特徴量は、前記薬剤を密閉する容器の形状と、前記容器の色と、前記容器に貼付されたラベルの文字と、前記容器に記載された前記薬剤の製造年月日とのうちの少なくとも一つである、
請求項２記載の病院情報システム。
【請求項４】
前記判定部により、前記組み合わせが正しいと判定された場合、前記患者への前記投与予定の薬剤に関する実施記録の入力を許可し、前記組み合わせが誤りであると判定された場合、前記患者への前記実施記録の入力を許可しない実施記録管理部をさらに具備する請求項１記載の病院情報システム。
【請求項５】
前記データベースに格納された複数の処方指示を含む一覧表を表示する表示部をさらに具備し、
前記入力部は、前記表示部に表示された複数の処方指示の中から前記実行対象の処方指示を指定する、前記操作者からの指定操作を受け付ける、
請求項１記載の病院情報システム。
【請求項６】
患者へ処方する薬剤に関する複数の処方指示と、複数の患者に関する複数の患者画像と、複数の薬剤に関する複数の薬剤画像とを関連付けて格納するデータベースと、前記データベースに格納された複数の処方指示の中から実行対象の処方指示を指定する、操作者からの指定操作を受け付ける入力部と、薬剤投与の実行対象の患者に関する患者画像と、前記実行対象の患者への投与予定の薬剤に関する薬剤画像とを取得する取得部と、を具備するコンピュータに、
前記取得された患者画像と前記複数の患者画像のうちの前記指定された処方指示に関連付けられた患者画像との比較と、前記取得された薬剤画像と前記複数の薬剤画像のうちの前記指定された処方指示に関連付けられた薬剤画像との比較に基づいて、前記指定された処方指示と、前記取得された患者画像と、前記取得された薬剤画像との組み合わせが正しいか否かを判定する判定機能、
を実現させるための判定プログラム。
【発明の詳細な説明】
【技術分野】
【０００１】
本発明の実施形態は、病院情報システムおよび判定プログラムに関する。
【背景技術】
【０００２】
医療機関における患者誤認および投薬ミス等の医療過誤の発生を防止するため、バーコードを用いた認証技術が使用されている。例えば、医師による患者へ処方する薬剤を指示する処方指示に基づいて、患者に対して薬剤を投与する場合、患者に装着されたリストバンドに印刷されたバーコードと、薬剤の容器に貼付されたラベルに印刷されたバーコードとを携帯端末により読み込む。これにより、患者に対して処方指示に基づく薬剤が正しく投与されているか否かを判定している。
【０００３】
一方、上記バーコードの発行、リストバンドおよびラベルの作成、リストバンドの配布、ラベルの貼り付け等、医療従事者の作業負荷が大きくなる。また、リストバンドの配布ミス、ラベルの貼り間違いおよびバーコードの読み取りエラー等の過誤が生じる。これにより、患者誤認および投薬ミス等の医療過誤が発生するリスクが上昇する。
【先行技術文献】
【特許文献】
【０００４】
【特許文献１】特開２００１−００８９０１号公報
【特許文献２】特開２００３−０３０３２４号公報
【発明の概要】
【発明が解決しようとする課題】
【０００５】
本実施形態の目的は、医療機関における医療過誤の発生を防止することができる病院情報システムおよび判定プログラムを提供することにある。
【課題を解決するための手段】
【０００６】
実施形態によれば、病院情報システムは、データベースと、入力部と、取得部と、判定部とを具備する。データベースは、患者へ処方する薬剤に関する複数の処方指示と、複数の患者に関する複数の患者画像と、複数の薬剤に関する複数の薬剤画像とを関連付けて格納する。入力部は、前記データベースに格納された複数の処方指示の中から実行対象の処方指示を指定する、操作者からの指定操作を受け付ける。取得部は、薬剤投与の実行対象の患者に関する患者画像と、前記実行対象の患者への投与予定の薬剤に関する薬剤画像とを取得する。判定部は、前記取得された患者画像と前記複数の患者画像のうちの前記指定された処方指示に関連付けられた患者画像との比較と、前記取得された薬剤画像と前記複数の薬剤画像のうちの前記指定された処方指示に関連付けられた薬剤画像との比較とに基づいて、前記指定された処方指示と、前記取得された患者画像と、前記取得された薬剤画像との組み合わせが正しいか否かを判定する。
【図面の簡単な説明】
【０００７】
【図１】図１は、本実施形態に係る病院情報システムを示すブロック図である。
【図２】図２は、図１に示す医用情報管理装置の構成を示す図である。
【図３】図３は、図１に示すベッドサイド端末の構成を示す図である。
【図４】図４は、図２に示す処理回路における、撮影端末で生成された患者画像と、指定された処方指示に関連付けられた患者画像との比較処理の流れを示すフローチャートである。
【図５】図５は、図１に示す撮影端末で生成された患者画像を示す図である。
【図６】図６は、図２に示す処理回路における、撮影端末で生成された薬剤画像と、指定された処方指示に関連付けられた薬剤画像との比較処理の流れを示すフローチャートである。
【図７】図７は、図１に示す撮影端末で生成された薬剤画像を示す図である。
【図８】図８は、本実施形態に係る病院情報システムの動作を示すフローチャートである。
【図９】図９は、図３に示す表示回路に表示される処方指示一覧表の一例を示す図である。
【図１０】図１０は、図２に示すデータベースに格納される患者画像マスタを示す図である。
【図１１】図１１は、図２に示すデータベースの患者画像マスタから読み出した関連患者画像を示す図である。
【図１２】図１２は、図２に示すデータベースに格納される薬剤画像マスタを示す図である。
【図１３】図１３は、図２に示すデータベースの薬剤画像マスタから読み出した関連薬剤画像を示す図である。
【図１４】図１４は、処理回路において、指定された処方指示と、転送患者画像と、転送薬剤画像との組み合わせが正しいと判定された場合の表示回路における表示画面の一例を示す図である。
【図１５】図１５は、処理回路において、指定された処方指示と、転送患者画像と、転送薬剤画像との組み合わせが誤りであると判定された場合の表示回路における表示画面の一例を示す図である。
【図１６】図１６は、本実施形態に係る病院情報システムの変形例を示すブロック図である。
【発明を実施するための形態】
【０００８】
以下、本実施形態に係る病院情報システムについて、図面を参照して説明する。
【０００９】
（病院情報システムの構成）
図１は、本実施形態に係る病院情報システム１を示すブロック図である。病院情報システム１は、病院内における検査診断に関する予約、問診により作成される電子カルテおよび病院内における医事会計等を管理する。本実施形態に係る病院情報システム１は、さらに、患者誤認および投薬ミス等の医療過誤の発生を防止するための装置を有する。具体的には、図１に示すように、病院情報システム１は、問診用端末２と、医用情報管理装置３と、ベッドサイド端末４と、撮影端末５とを備える。問診用端末２と、医用情報管理装置３と、ベッドサイド端末４と、撮影端末５とは、ネットワークＮＷを介して相互に接続される。
【００１０】
問診用端末２は、主に医師により操作されるコンピュータ、あるいはワークステーションである。問診用端末２は、患者に対する問診の内容、当該患者へ処方する薬剤を指示する処方指示等の入力を受け付ける。本実施形態における問診用端末２は、医師により入力された患者に対する問診の内容および当該患者へ処方する薬剤を指示する処方指示を医用情報管理装置３へ転送する。
【００１１】
医用情報管理装置３は、問診用端末２から転送された患者に対する問診の内容を管理し、転送された処方指示に基づく当該患者に対する薬剤投与の実施状況等を管理するコンピュータ、ワークステーション、あるいはサーバである。本実施形態における医用情報管理装置３は、例えば、医療従事者により上記処方指示に基づいて患者へ薬剤を投与する場合において、上記処方指示と、薬剤投与の実行対象の患者と、実行対象の患者への投与予定の薬剤との組み合わせが正しいか否かを判定する三点認証を行う。
【００１２】
ベッドサイド端末４は、主に看護師等の医療従事者により操作されるコンピュータである。ベッドサイド端末４は、医療従事者による点滴交換作業等において使用される。ベッドサイド端末４は、回診台等に載積して運搬可能、または医療従事者により携行可能である。本実施形態におけるベッドサイド端末４は、例えば、医療従事者により上記処方指示に基づいて患者へ薬剤を投与する場合において、上記処方指示と、薬剤投与の実行対象である患者と、患者に投与する予定の薬剤との組み合わせが正しいか否かを確認するために使用する。
【００１３】
撮影端末５は、ベッドサイド端末４と同様に、主に看護師等の医療従事者により操作される。撮影端末５は、カメラ、画像を取得可能なＰＤＡ（Personal Digital Assistant）、スマートフォン、タブレット端末、およびウェアラブル端末等である。撮影端末５は、医療従事者により携行可能である。本実施形態における撮影端末５は、例えば、医療従事者による点滴交換作業等において、薬剤投与の実行対象の患者を被写体とする光学画像（以降、患者画像と記載する。）と、実行対象の患者への投与予定の薬剤を被写体とする光学画像（以降、薬剤画像と記載する。）とを医療従事者の操作に従い生成する。撮影端末５は、生成した患者画像と薬剤画像とをネットワークＮＷを介してベッドサイド端末４へ転送する。
【００１４】
ここで、上記医用情報管理装置３とベッドサイド端末４との構成について、図面を参照して詳しく説明する。
【００１５】
まず、医用情報管理装置３について説明する。図２は、図１に示す医用情報管理装置３の構成を示す図である。図２に示す医用情報管理装置３は、入力インターフェース（ＩＦ）回路３１と、通信インターフェース（ＩＦ）回路３２と、表示回路３３と、管理装置制御回路３４と、データベース３５と、処理回路３６とを有する。入力ＩＦ回路３１と、通信ＩＦ回路３２と、表示回路３３と、管理装置制御回路３４と、データベース３５と、処理回路３６とは、バスＢＵＳを介して接続される。
【００１６】
入力ＩＦ回路３１は、トラックボール、スクロールホイール、スイッチボタン、マウス、キーボード、操作面へ触れることで入力操作を行うタッチパッド、および表示画面とタッチパッドとが一体化されたタッチパネルディスプレイ等によって実現される。入力ＩＦ回路３１は、操作者から受け取った入力操作を電気信号へ変換し管理装置制御回路３４へ出力する。本実施形態における入力ＩＦ回路３１を操作する操作者は、医用情報管理装置３の管理者である。なお、本実施形態において、入力ＩＦ回路３１は、トラックボール、スクロールホイール、スイッチボタン、マウス、キーボード等の物理的な操作部品を備えるものだけに限られない。例えば、装置とは別体に設けられた外部の入力機器から入力操作に対応する電気信号を受け取り、この電気信号を管理装置制御回路３４へ出力する電気信号の処理回路も入力ＩＦ回路３１の例に含まれる。
【００１７】
通信ＩＦ回路３２は、有線あるいは無線にて外部装置と通信するための通信機器である。外部装置は、例えば、ＰＡＣＳ（Picture Archiving and Communication System）等のシステムに含まれるサーバ、あるいは他のワークステーションである。本実施形態において、通信ＩＦ回路３２は、図１に示す問診用端末２およびベッドサイド端末４と通信する。
【００１８】
表示回路３３は、管理装置制御回路３４による制御に従い、種々のデータおよび上記医用画像等を表示する。表示回路３３は、表示インターフェース回路と表示機器とを有する。表示インターフェース回路は、表示対象を表すデータをビデオ信号に変換する。表示信号は、表示機器に供給される。表示機器は、表示対象を表すビデオ信号を表示する。表示機器としては、例えば、ＣＲＴディスプレイ（Cathode Ray Tube Display）、液晶ディスプレイ（ＬＣＤ：Liquid Crystal Display）、有機ＥＬディスプレイ（ＯＥＬＤ：Organic Electro Luminescence Display）、プラズマディスプレイまたは当技術分野で知られている他の任意のディスプレイが適宜利用可能である。
【００１９】
管理装置制御回路３４は、ハードウェア資源として、ＣＰＵ（Central Processing Unit）およびＭＰＵ（Micro Processing Unit）等の所定のプロセッサと、ＲＯＭ（Read Only Memory）およびＲＡＭ（Random Access Memory）等の所定のメモリとにより実現される。管理装置制御回路３４のメモリは、制御プログラムを記憶する。管理装置制御回路３４のプロセッサは、メモリに記憶された制御プログラムを読み出す。管理装置制御回路３４のプロセッサは、読み出した制御プログラムを実行することで、医用情報管理装置３における各構成の動作および処理等を統括的に制御する。
【００２０】
データベース３５は、データを記憶可能な大容量のＨＤＤ（Hard Disk Drive）およびＳＳＤ（Solid State Drive）等である。例えば、データベース３５は、問診用端末２から転送された患者へ処方する薬剤に関する複数の処方指示と、複数の患者に関する複数の患者画像と、複数の薬剤に関する複数の薬剤画像とを関連付けて格納する。本実施形態において、データベース３５は、上記複数の処方指示を当該複数の処方指示を含む一覧表として格納する。データベース３５は、複数の患者画像各々について、患者ＩＤと、少なくとも一つの患者画像の特徴量とを関連付けて、患者画像マスタとして格納する。患者ＩＤは、患者画像の被写体である患者を識別するためのＩＤである。患者画像の特徴量は、患者画像に含まれる患者に関する特徴を数値化したものである。データベース３５は、複数の薬剤画像各々について、薬剤ＩＤと、少なくとも一つの薬剤画像の特徴量とを関連付けて、薬剤画像マスタとして格納する。薬剤ＩＤは、薬剤画像の被写体である薬剤を識別するためのＩＤである。薬剤画像の特徴量とは、薬剤画像に含まれる薬剤に関する特徴を数値化したものである。患者画像は、例えば、医師による問診を受けたときに患者を撮影端末５で撮影してデータベース３５に格納する。また、薬剤画像は、例えば、業者から薬剤を新たに納入したときに薬剤を撮影端末５で撮影してデータベース３５に格納する。データベース３５は、ＨＤＤ等の磁気ディスク以外にも、光磁気ディスクやＣＤ（Compact Disc）、ＤＶＤ（Digital Versatile Disc）等の光ディスクを利用してもよい。また、データベース３５の保存領域は、医用情報管理装置３内にあってもよいし、ネットワークＮＷで接続された外部記憶装置内にあってもよい。
【００２１】
処理回路３６は、ハードウェア資源として、ＣＰＵおよびＭＰＵ等の所定のプロセッサと、ＲＯＭおよびＲＡＭ等の所定のメモリとにより実現される。処理回路３６のメモリは、処方指示一覧転送プログラムを記憶する。処理回路３６のプロセッサは、メモリに記憶された処方指示一覧転送プログラムを読み出す。処理回路３６のプロセッサは、読み出した処方指示一覧転送プログラムを実行することで、処方指示一覧転送機能３６１を実現する。処方指示一覧転送機能３６１の実現により、処理回路３６は、データベース３５に記憶された複数の処方指示をベッドサイド端末４へ転送する。本実施形態において、処理回路３６は、複数の処方指示を含む一覧表をベッドサイド端末４へ転送する。
【００２２】
処理回路３６のメモリは、判定プログラムを記憶する。処理回路３６のプロセッサは、メモリに記憶された判定プログラムを読み出す。処理回路３６のプロセッサは、読み出した判定プログラムを実行することで、判定機能３６２を実現する。判定機能３６２の実現により、処理回路３６は、ベッドサイド端末４において操作者により入力ＩＦ回路４１を介して指定された処方指示と、撮影端末５により生成された患者画像と、撮影端末５により生成された薬剤画像との組み合わせが正しいか否かを判定する。処理回路３６は、撮影端末５で生成された患者画像と、データベース３５に格納された複数の患者画像のうちの指定された処方指示に関連付けられた患者画像との比較と、撮影端末５で生成された薬剤画像と、データベース３５に格納された複数の薬剤画像のうちの指定された処方指示に関連付けられた薬剤画像との比較に基づいて、上記組み合わせが正しいか否かを判定する。
【００２３】
処理回路３６のメモリは、判定結果プログラムを記憶する。処理回路３６のプロセッサは、メモリに記憶された判定結果プログラムを読み出す。処理回路３６のプロセッサは、読み出した判定結果プログラムを実行することで、判定結果通知機能３６３を実現する。判定結果通知機能３６３の実現により、処理回路３６は、上記組み合わせに関する判定結果をベッドサイド端末４へ通知する。
【００２４】
処理回路３６のメモリは、実施記録管理プログラムを記憶する。処理回路３６のプロセッサは、メモリに記憶された実施記録管理プログラムを読み出す。処理回路３６のプロセッサは、読み出した実施記録管理プログラムを実行することで、実施記録管理機能３６４を実現する。実施記録管理機能３６４の実現により、処理回路３６は、ベッドサイド端末４での患者への投与予定の薬剤に関する実施記録の入力を管理する。処理回路３６は、指定された処方指示と、生成された患者画像と、生成された薬剤画像との組み合わせが正しいと判定された場合、ベッドサイド端末４における実施記録の入力を許可する。処理回路３６は、指定された処方指示と、生成された患者画像と、生成された薬剤画像との組み合わせが誤りであると判定された場合、ベッドサイド端末４における実施記録の入力を許可しない。
【００２５】
次に、ベッドサイド端末４について説明する。図３は、図１に示すベッドサイド端末４の構成を示す図である。図３に示すベッドサイド端末４は、入力ＩＦ回路４１と、通信ＩＦ回路４２と、表示回路４３と、記憶回路４４と、端末制御回路４５と、処理回路４６とを有する。入力ＩＦ回路４１と、通信ＩＦ回路４２と、表示回路４３と、記憶回路４４と、端末制御回路４５と、処理回路４６とは、バスＢＵＳを介して接続される。
【００２６】
入力ＩＦ回路４１は、トラックボール、スクロールホイール、スイッチボタン、マウス、キーボード、操作面へ触れることで入力操作を行うタッチパッド、および表示画面とタッチパッドとが一体化されたタッチパネルディスプレイ等によって実現される。入力ＩＦ回路４１は、操作者から受け取った入力操作を電気信号へ変換し端末制御回路４５へ出力する。例えば、入力ＩＦ回路４１は、データベース３５に格納された複数の処方指示の中から実行対象の処方指示を指定する、操作者からの指定操作を受け付ける。本実施形態における入力ＩＦ回路４１を操作する操作者は、看護師等の医療従事者である。なお、本実施形態において、入力ＩＦ回路４１は、トラックボール、スクロールホイール、スイッチボタン、マウス、キーボード等の物理的な操作部品を備えるものだけに限られない。例えば、装置とは別体に設けられた外部の入力機器から入力操作に対応する電気信号を受け取り、この電気信号を端末制御回路４５へ出力する電気信号の処理回路も入力ＩＦ回路４１の例に含まれる。
【００２７】
通信ＩＦ回路４２は、有線あるいは無線にて外部装置と通信するための通信機器である。外部装置は、例えば、ＰＡＣＳ等のシステムに含まれるサーバ、あるいは他のワークステーションである。本実施形態において、通信ＩＦ回路４２は、図１に示す医用情報管理装置３と通信する。
【００２８】
表示回路４３は、端末制御回路４５による制御に従い、種々のデータおよび上記医用画像等を表示する。例えば、表示回路４３は、医用情報管理装置３から転送された複数の処方指示を含む一覧表を表示する。表示回路４３は、医用情報管理装置３から通知された上記組み合わせに関する判定結果を表示する。表示回路４３は、表示インターフェース回路と表示機器とを有する。表示インターフェース回路は、表示対象を表すデータをビデオ信号に変換する。表示信号は、表示機器に供給される。表示機器は、表示対象を表すビデオ信号を表示する。表示機器としては、例えば、ＣＲＴディスプレイ、液晶ディスプレイ、有機ＥＬディスプレイ、プラズマディスプレイまたは当技術分野で知られている他の任意のディスプレイが適宜利用可能である。
【００２９】
記憶回路４４は、データを記憶可能なＨＤＤおよびＳＳＤ等である。記憶回路４４は、ＨＤＤ等の磁気ディスク以外にも、光磁気ディスクやＣＤ、ＤＶＤ等の光ディスクを利用してもよい。また、記憶回路４４の保存領域は、ベッドサイド端末４内にあってもよいし、ネットワークＮＷで接続された外部記憶装置内にあってもよい。
【００３０】
端末制御回路４５は、ハードウェア資源として、ＣＰＵおよびＭＰＵ等の所定のプロセッサと、ＲＯＭおよびＲＡＭ等の所定のメモリとにより実現される。端末制御回路４５のメモリは、制御プログラムを記憶する。端末制御回路４５のプロセッサは、メモリに記憶された制御プログラムを読み出す。端末制御回路４５のプロセッサは、読み出した制御プログラムを実行することで、ベッドサイド端末４における各構成の動作および処理等を統括的に制御する。
【００３１】
処理回路４６は、ハードウェア資源として、ＣＰＵおよびＭＰＵ等の所定のプロセッサと、ＲＯＭおよびＲＡＭ等の所定のメモリとにより実現される。処理回路４６のメモリは、アプリケーションプログラムを記憶する。処理回路４６のプロセッサは、メモリに記憶されたアプリケーションプログラムを読み出す。処理回路４６のプロセッサは、読み出したアプリケーションプログラムを実行することで、アプリケーション機能４６１を実現する。アプリケーション機能４６１の実現により、処理回路４６は、例えば、医療従事者による点滴交換作業において使用する、処方指示と患者と薬剤との組み合わせの確認および実施記録の入力のためのアプリケーションを起動する。
【００３２】
処理回路４６のメモリは、処方指示一覧表示プログラムを記憶する。処理回路４６のプロセッサは、メモリに記憶された処方指示一覧表示プログラムを読み出す。処理回路４６のプロセッサは、読み出した処方指示一覧表示プログラムを実行することで、処方指示一覧表示機能４６２を実現する。処方指示一覧表示機能４６２の実現により、処理回路４６は、医用情報管理装置３から転送された複数の処方指示を含む一覧表を表示回路４３に表示する。
【００３３】
処理回路４６のメモリは、画像転送プログラムを記憶する。処理回路４６のプロセッサは、メモリに記憶された画像転送プログラムを読み出す。処理回路４６のプロセッサは、読み出した画像転送プログラムを実行することで、画像転送機能４６３を実現する。画像転送機能４６３の実現により、処理回路４６は、撮影端末５により生成された患者画像と薬剤画像とを医用情報管理装置３へ転送する。
【００３４】
（画像の比較処理）
ここで、医用情報管理装置３の処理回路３６における、撮影端末５で生成された患者画像と指定された処方指示に関連付けられた患者画像との比較処理と、撮影端末５で生成された薬剤画像と指定された処方指示に関連付けられた薬剤画像との比較処理について、図面を参照して詳しく説明する。
【００３５】
図４は、図２に示す処理回路３６における、撮影端末５で生成された患者画像と、指定された処方指示に関連付けられた患者画像との比較処理の流れを示すフローチャートである。図５は、図１に示す撮影端末５で生成された患者画像を示す図である。以降、実施形態では、説明の便宜上、撮影端末５で生成された患者画像を転送患者画像と記載する。また、指定された処方指示に関連付けられた患者画像を関連患者画像と記載する。
【００３６】
ステップＳａ１において、処理回路３６は、図５に示す転送患者画像ＩｍｇＰと、予めデータベース３５に格納された関連患者画像とを比較する。本実施形態における処理回路３６は、例えば、転送患者画像ＩｍｇＰの特徴量と、関連患者画像の特徴量とを比較する。まず、転送患者画像ＩｍｇＰの特徴量と、関連患者画像の特徴量とを算出する。本実施形態における患者画像の比較のための特徴量は、いかなる特徴量であってもよいが、例えば、患者の顔の輪郭と、患者の肌色と、患者の鼻と目との距離とのうちの少なくとも一つである。
【００３７】
ステップＳａ２において、処理回路３６は、ステップＳａ１における比較に基づいて、転送患者画像ＩｍｇＰの特徴量と関連患者画像の特徴量との一致率が所定の閾値以上か否かを判定する。一致率は、転送患者画像ＩｍｇＰの特徴量と関連患者画像の特徴量との差分が小さいほど高くなる。なお、閾値は、操作者により任意の数値を設定してもよいし、システムを構築する過程で予め設定してもよい。
【００３８】
ステップＳａ３において、転送患者画像ＩｍｇＰの特徴量と関連患者画像の特徴量との一致率が所定の閾値以上である場合（ステップＳａ２のＹｅｓ）、処理回路３６は、転送患者画像ＩｍｇＰと関連患者画像とが一致すると判定する。
【００３９】
ステップＳａ４において、転送患者画像ＩｍｇＰの特徴量と関連患者画像の特徴量との一致率が所定の閾値未満である場合（ステップＳａ２のＮｏ）、処理回路３６は、転送患者画像ＩｍｇＰと関連患者画像とが一致しないと判定する。
【００４０】
ここで、比較する患者画像の特徴量が複数存在する場合について記載する。
【００４１】
ステップＳａ１において、処理回路３６は、転送患者画像ＩｍｇＰにおける複数の特徴量と、関連患者画像における複数の特徴量とを比較する。
【００４２】
ステップＳａ２において、処理回路３６は、ステップＳａ１における比較に基づいて、転送患者画像ＩｍｇＰにおける複数の特徴量と関連患者画像における複数の特徴量との一致率がすべて所定の閾値以上か否かを判定する。
【００４３】
ステップＳａ３において、転送患者画像ＩｍｇＰにおける複数の特徴量と関連患者画像における複数の特徴量との一致率がすべて所定の閾値以上である場合（ステップＳａ２のＹｅｓ）、処理回路３６は、転送患者画像ＩｍｇＰと関連患者画像とが一致すると判定する。
【００４４】
ステップＳａ４において、転送患者画像ＩｍｇＰにおける複数の特徴量と関連患者画像における複数の特徴量とに関する少なくとも一つの一致率が所定の閾値未満である場合（ステップＳａ２のＮｏ）、処理回路３６は、転送患者画像ＩｍｇＰと関連患者画像とが一致しないと判定する。
【００４５】
図６は、図２に示す処理回路３６における、撮影端末５で生成された薬剤画像と、指定された処方指示に関連付けられた薬剤画像との比較処理の流れを示すフローチャートである。図７は、図１に示す撮影端末５で生成された薬剤画像を示す図である。以降、実施形態では、説明の便宜上、撮影端末５で生成された薬剤画像を転送薬剤画像と記載する。また、指定された処方指示に関連付けられた薬剤画像を関連薬剤画像と記載する。
【００４６】
ステップＳｂ１において、処理回路３６は、図７に示す転送薬剤画像ＩｍｇＭと、予めデータベース３５に格納された関連薬剤画像とを比較する。本実施形態における処理回路３６は、例えば、転送薬剤画像ＩｍｇＭの特徴量と、関連薬剤画像の特徴量とを比較する。まず、転送薬剤画像ＩｍｇＭの特徴量と、関連薬剤画像の特徴量とを算出する。本実施形態における薬剤画像の比較のための特徴量は、薬剤を密閉する容器の形状と、容器の色と、容器に貼付されたラベルの文字と、いかなる特徴量であってもよいが、例えば、容器に記載された薬剤の製造年月日とのうちの少なくとも一つである。
【００４７】
ステップＳｂ２において、処理回路３６は、転送薬剤画像ＩｍｇＭの特徴量と関連薬剤画像の特徴量との一致率が所定の閾値以上か否かを判定する。一致率は、転送薬剤画像ＩｍｇＭの特徴量と関連薬剤画像の特徴量との差分が小さいほど高くなる。なお、閾値は、操作者により任意の数値を設定してもよいし、システムを構築する過程で予め設定してもよい。
【００４８】
ステップＳｂ３において、転送薬剤画像ＩｍｇＭの特徴量と関連薬剤画像の特徴量との一致率が所定の閾値以上である場合（ステップＳｂ２のＹｅｓ）、処理回路３６は、転送薬剤画像ＩｍｇＭと関連薬剤画像とが一致すると判定する。
【００４９】
ステップＳｂ４において、転送薬剤画像ＩｍｇＭの特徴量と関連薬剤画像の特徴量との一致率が所定の閾値未満である場合（ステップＳｂ２のＮｏ）、処理回路３６は、転送薬剤画像ＩｍｇＭと関連薬剤画像とが一致しないと判定する。
【００５０】
ここで、比較する薬剤画像の特徴量が複数存在する場合について記載する。
【００５１】
ステップＳｂ１において、処理回路３６は、転送薬剤画像ＩｍｇＭにおける複数の特徴量と、関連薬剤画像における複数の特徴量とを比較する。
【００５２】
ステップＳｂ２において、処理回路３６は、ステップＳｂ１における比較に基づいて、転送薬剤画像ＩｍｇＭにおける複数の特徴量と関連薬剤画像における複数の特徴量との一致率がすべて所定の閾値以上か否かを判定する。
【００５３】
ステップＳｂ３において、転送薬剤画像ＩｍｇＭにおける複数の特徴量と関連薬剤画像にける複数の特徴量との一致率がすべて所定の閾値以上である場合（ステップＳｂ２のＹｅｓ）、処理回路３６は、転送薬剤画像ＩｍｇＭと関連薬剤画像とが一致すると判定する。
【００５４】
ステップＳｂ４において、転送薬剤画像ＩｍｇＭにおける複数の特徴量と関連薬剤画像における複数の特徴量とに関する少なくとも一つの一致率が所定の閾値未満である場合（ステップＳｂ２のＮｏ）、処理回路３６は、転送薬剤画像ＩｍｇＭと関連薬剤画像とが一致しないと判定する。
【００５５】
（病院情報システムの動作）
ここで、本実施形態に係る病院情報システム１の動作について具体的に説明する。
【００５６】
図８は、本実施形態に係る病院情報システム１の動作を示すフローチャートである。図８では、例えば、院内において定期的に行われる、医療従事者による点滴交換作業における病院情報システム１の動作を想定している。医療従事者は、ベッドサイド端末４を使用して、処方指示に基づく薬剤投与の実行対象の患者と、当該実行対象の患者への投与予定の薬剤との組み合わせが正しいことを確認し、当該組み合わせが正しいことを確認した上で患者に薬剤を投与する。さらに、医療従事者は、ベッドサイド端末４を使用して、患者への投与予定の薬剤に関する実施記録を入力する。図８では、医療従事者による点滴交換作業において使用する上記アプリケーションを起動してから判定結果を出力するまでの過程について記載する。
【００５７】
ステップＳ１において、ベッドサイド端末４の処理回路４６は、医療従事者により使用されるアプリケーションを起動する。アプリケーションの起動後、ステップＳ２において、処理回路４６は、医用情報管理装置３に対して、データベース３５に格納された複数の処方指示を含む一覧表の転送要求を送信する。ステップＳ３において、医用情報管理装置３は、処理回路４６からの当該一覧表の転送要求に応じて、データベース３５から複数の処方指示を含む一覧表を読み出す。ステップＳ４において、医用情報管理装置３の処理回路３６は、読み出した複数の処方指示を含む一覧表をベッドサイド端末４へ転送する。
【００５８】
ステップＳ５において、処理回路４６は、医用情報管理装置３から転送された複数の処方指示を含む一覧表を表示回路４３に表示する。ステップＳ６において、ベッドサイド端末４は、表示回路４３に表示された複数の処方指示の中から実行対象の処方指示を指定する指定操作を入力する。すなわち、医療従事者は、表示回路４３に表示された一覧表に含まれる複数の処方指示の中から実行対象の処方指示を入力ＩＦ回路４１を介して指定する。
【００５９】
図９は、図３に示す表示回路４３に表示される処方指示一覧表の一例を示す図である。図９に示すように、表示回路４３の表示画面Ｄに表示される処方指示は、例えば、患者ＩＤ、患者氏名、薬剤投与の実施状況、実施日付、投薬項目を含む。これらの項目が患者ごとに割り当てられた薬剤投与の実施番号ごとに一覧可能に収集されている。医療従事者は、図９に示すポインタＰを入力ＩＦ回路４１を介して操作し、図９に示す一覧表に含まれる複数の処方指示の中から、実行対象の処方指示を指定する。本実施形態において、医療従事者は、実施番号「０００３」の処方指示を実行対象の処方指示として指定する。医療従事者により指定された実施番号「０００３」の処方指示は、患者ＩＤ「Ｐ−１」、患者氏名「患者一郎」、投薬項目「Ａ薬剤」、薬剤ＩＤ「Ｍ−Ａ」を含む。すなわち、実施番号「０００３」の処方指示は、「患者一郎氏に対して、Ａ薬剤を投与すること」を表している。なお、図９に示す処方指示一覧表は一例であり、図９に示す一覧表の項目および表示態様に限定されない。
【００６０】
ステップＳ７において、ベッドサイド端末４は、医療従事者により表示回路４３に表示された複数の処方指示の中から、実施番号「０００３」の処方指示が指定されたことを示す指定操作情報を医用情報管理装置３へ転送する。ステップＳ８において、ベッドサイド端末４は、医療従事者に対して、薬剤投与の実行対象である患者と、実行対象の患者への投与予定の薬剤との撮影を促す表示画面を表示回路４３に表示する。医療従事者は、撮影端末５を操作して薬剤投与の実行対象の患者を撮影する。撮影端末５は、図５に示すような薬剤投与の実行対象の患者に関する転送患者画像ＩｍｇＰを生成する。また、医療従事者は、撮影端末５を操作して実行対象の患者への投与予定の薬剤を撮影する。撮影端末５は、図７に示すような投与予定の薬剤に関する転送薬剤画像ＩｍｇＭを生成する。撮影端末５は、生成された転送患者画像ＩｍｇＰと転送薬剤画像ＩｍｇＭとをネットワークＮＷを介してベッドサイド端末４へ転送する。
【００６１】
ステップＳ９において、ベッドサイド端末４は、撮影端末５から転送された転送患者画像ＩｍｇＰと転送薬剤画像ＩｍｇＭとを入力する。ステップＳ１０において、ベッドサイド端末４は、入力した転送患者画像ＩｍｇＰと転送薬剤画像ＩｍｇＭとの確認画面を表示回路４３に表示する。表示回路４３に当該転送患者画像ＩｍｇＰと転送薬剤画像ＩｍｇＭとの確認画面を表示することで、医療従事者は、手ブレやボケを含まない転送患者画像ＩｍｇＰと転送薬剤画像ＩｍｇＭとが取得できたか否かを確認することができる。画像確認後、転送された画像に問題がなければ、医療従事者は、入力ＩＦ回路４１を介して画像の確定操作を入力する。例えば、表示回路４３に画像の確定操作に行うための確定ボタンを表示する。医療従事者は、入力ＩＦ回路４１を介してポインタＰを操作し、表示回路４３に表示された確定ボタンを押下する。ステップＳ１１において、処理回路４６は、上記画像の確定操作をトリガとして、入力した転送患者画像ＩｍｇＰと転送薬剤画像ＩｍｇＭとを医用情報管理装置３へ転送する。
【００６２】
ステップＳ１２において、処理回路３６は、転送患者画像ＩｍｇＰと関連患者画像との比較と、転送薬剤画像ＩｍｇＭと関連薬剤画像との比較とに基づいて、指定された実施番号「０００３」の処方指示と、転送患者画像ＩｍｇＰと、転送薬剤画像ＩｍｇＭとの組み合わせが正しいか否かを判定する。組み合わせが正しいか否かを判定するため、処理回路３６は、ステップＳ１２ａにおいて患者画像の比較処理を実行し、ステップＳ１２ｂにおいて薬剤画像の比較処理を実行する。
【００６３】
まず、ステップＳ１２ａにおける患者画像の比較処理について説明する。
【００６４】
図１０は、図２に示すデータベース３５に格納される患者画像マスタを示す図である。図１０に示す患者画像マスタは、複数の患者画像各々について、患者ＩＤと、少なくとも一つの患者画像の特徴量とを関連付ける。ここで、上記ステップＳ５において、医療従事者は、実施番号「０００３」の処方指示を実行対象の処方指示として指定している。このため、処理回路３６は、指定された実施番号「０００３」の処方指示に含まれる患者ＩＤ「Ｐ−１」に関連付けられた関連患者画像ＩｍｇＰ−１をデータベース３５の患者画像マスタから読み出す。図１１は、図２に示すデータベース３５の患者画像マスタから読み出した関連患者画像ＩｍｇＰ−１を示す図である。処理回路３６は、図５に示す転送患者画像ＩｍｇＰの特徴量と、図１１に示す関連患者画像ＩｍｇＰ−１の特徴量とを比較する。処理回路３６は、上記比較に基づいて、転送患者画像ＩｍｇＰの特徴量と関連患者画像ＩｍｇＰ−１の特徴量との一致率が所定の閾値以上か否かを判定する。例えば、処理回路３６は、患者画像に関する、患者の顔の輪郭、患者の肌色、および患者の鼻と目との距離各々の一致率を算出する。処理回路３６は、患者画像に関する一致率がすべて所定の閾値以上か否かを判定する。
【００６５】
患者画像に関する一致率がすべて所定の閾値以上である場合、処理回路３６は、転送患者画像ＩｍｇＰと関連患者画像ＩｍｇＰ−１とが一致すると判定する。患者画像に関する一致率のうちの少なくとも一つが所定の閾値未満である場合、処理回路３６は、転送患者画像ＩｍｇＰと関連患者画像ＩｍｇＰ−１とが一致しないと判定する。
【００６６】
次に、ステップＳ１２ｂにおける薬剤画像の比較処理について説明する。
【００６７】
図１２は、図２に示すデータベース３５に格納される薬剤画像マスタを示す図である。図１２に示す薬剤画像マスタは、複数の薬剤画像各々について、薬剤ＩＤと、少なくとも一つの薬剤画像の特徴量とを関連付ける。ここで、上記ステップＳ５において、医療従事者は、実施番号「０００３」の処方指示を実行対象の処方指示として指定している。このため、処理回路３６は、指定された実施番号「０００３」の処方指示に含まれる薬剤ＩＤ「Ｍ−Ａ」に関連付けられた関連薬剤画像ＩｍｇＭ−Ａをデータベース３５の薬剤画像マスタから読み出す。図１３は、図２に示すデータベース３５の薬剤画像マスタから読み出した関連薬剤画像ＩｍｇＭ−Ａを示す図である。処理回路３６は、図７に示す転送薬剤画像ＩｍｇＭの特徴量と、図１３に示す関連薬剤画像ＩｍｇＭ−Ａの特徴量とを比較する。処理回路３６は、上記比較に基づいて、転送薬剤画像ＩｍｇＭの特徴量と関連薬剤画像ＩｍｇＭ−Ａの特徴量との一致率が所定の閾値以上か否かを判定する。例えば、処理回路３６は、薬剤画像に関する、薬剤を密閉する容器の形状、容器の色、容器に貼付されたラベルの文字、および容器に記載された薬剤の製造年月日各々の一致率を算出する。処理回路３６は、上記薬剤画像に関する一致率がすべて所定の閾値以上か否かを判定する。
【００６８】
患者画像に関する一致率がすべて所定の閾値以上である場合、処理回路３６は、転送薬剤画像ＩｍｇＭと関連薬剤画像ＩｍｇＭ−Ａとが一致すると判定する。患者画像に関する一致率のうちの少なくとも一つが所定の閾値未満である場合、処理回路３６は、転送薬剤画像ＩｍｇＭと関連薬剤画像ＩｍｇＭ−Ａとが一致しないと判定する。
【００６９】
処理回路３６は、ステップＳ１２ａにおける患者画像の比較と、ステップＳ１２ｂにおける薬剤画像の比較とに基づいて、上記組み合わせが正しいか否かを判定する。
【００７０】
具体的には、処理回路３６は、転送患者画像ＩｍｇＰと関連患者画像ＩｍｇＰ−１とが一致し、転送薬剤画像ＩｍｇＭと関連薬剤画像ＩｍｇＭ−Ａとが一致すると判定された場合、組み合わせが正しいと判定する。
【００７１】
ステップＳ１３において、処理回路３６は、指定された実施番号「０００３」の処方指示と、転送患者画像ＩｍｇＰと、転送薬剤画像ＩｍｇＭとの組み合わせが正しいと判定された場合、上記組み合わせが正しいことをベッドサイド端末４へ通知する。このとき、処理回路３６は、ベッドサイド端末４における、患者への投与予定の薬剤に関する実施記録の入力を許可する。ステップＳ１４において、処理回路４６は、医用情報管理装置３から通知された判定結果に基づく表示画面を表示回路４３に表示する。
【００７２】
図１４は、処理回路３６において、指定された処方指示と、転送患者画像と、転送薬剤画像との組み合わせが正しいと判定された場合の表示回路４３における表示画面の一例を示す図である。図１４に示すように、表示回路４３の表示画面Ｄは、例えば、通知欄Ｒ１と、指示情報欄Ｒ２と、薬剤情報欄Ｒ３と、コメント欄Ｒ４と、実施情報欄Ｒ５とを有する。例えば、通知欄Ｒ１には、上記組み合わせが正しいことを示す記号と文字とが表示される。指示情報欄Ｒ２には、指定された処方指示に関する内容が表示される。指示情報欄Ｒ２には、処方指示を入力した医師に関する情報、処方指示に関連付けられた患者および薬剤に関する情報等が表示される。薬剤情報欄Ｒ３には、実施記録として入力された、患者に投与予定の薬剤に関する情報が表示される。薬剤情報欄Ｒ３に表示される、患者に投与予定の薬剤に関する情報は、指示情報欄Ｒ２に表示される薬剤に関する情報と略一致する。コメント欄Ｒ４には、薬剤投与の実行対象の患者に関する情報が表示される。例えば、コメント欄Ｒ４には、「左手は注射不可」、「右手は注射不可」「左足は注射不可」、「右足は注射不可」等、薬剤を患者に投与するときの制約情報、および薬剤の投与方法が表示される。実施情報欄Ｒ５には、実施記録として入力された、患者への薬剤投与の実施内容に関する情報が表示される。例えば、実施情報欄Ｒ５には、患者への薬剤投与の実施者に関する情報、薬剤投与の開始時刻および終了時刻、投与速度、部位、投与する薬剤の液量、実施場所が表示される。
【００７３】
なお、本実施形態では、通知欄Ｒ１を設けず、指示情報欄Ｒ２と、薬剤情報欄Ｒ３と、コメント欄Ｒ４と、実施情報欄Ｒ５とを設けるのみでもよい。
【００７４】
また、処理回路３６は、転送患者画像ＩｍｇＰと関連患者画像ＩｍｇＰ−１とが一致し、転送薬剤画像ＩｍｇＭと関連薬剤画像ＩｍｇＭ−Ａとが一致しない場合、転送患者画像ＩｍｇＰと関連患者画像ＩｍｇＰ−１とが一致せず、転送薬剤画像ＩｍｇＭと関連薬剤画像ＩｍｇＭ−Ａとが一致する場合、または、転送患者画像ＩｍｇＰと関連患者画像ＩｍｇＰ−１とが一致せず、転送薬剤画像ＩｍｇＭと関連薬剤画像ＩｍｇＭ−Ａとが一致しない場合、組み合わせが誤りであると判定する。
【００７５】
ステップＳ１３において、処理回路３６は、指定された実施番号「０００３」の処方指示と、転送患者画像ＩｍｇＰと、転送薬剤画像ＩｍｇＭとの組み合わせが誤りであると判定された場合、上記組み合わせが誤りであることをベッドサイド端末４へ通知する。このとき、処理回路３６は、ベッドサイド端末４における、患者への投与予定の薬剤に関する実施記録の入力を許可しない。ステップＳ１４において、処理回路４６は、医用情報管理装置３から通知された判定結果に基づく表示画面を表示回路４３に表示する。
【００７６】
図１５は、処理回路３６において、指定された処方指示と、転送患者画像と、転送薬剤画像との組み合わせが誤りであると判定された場合の表示回路４３における表示画面の一例を示す図である。図１５に示すように、表示回路４３の表示画面Ｄは、通知欄Ｒ１と、指示情報欄Ｒ２と、薬剤情報欄Ｒ３と、コメント欄Ｒ４と、実施情報欄Ｒ５とを有する。例えば、通知欄Ｒ１には、上記組み合わせが誤りであることを示す記号と文字とが表示される。指示情報欄Ｒ２には、指定された処方指示に関する内容が表示される。指示情報欄Ｒ２には、処方指示を入力した医師に関する情報、処方指示に関連付けられた患者および薬剤に関する情報等が表示される。一方、ベッドサイド端末４における実施記録の入力が許可されていないため、薬剤情報欄Ｒ３と、コメント欄Ｒ４と、実施情報欄Ｒ５とには、情報が表示されない。
【００７７】
上記構成によれば、本実施形態に係る病院情報システム１は、撮影端末５で生成された転送患者画像ＩｍｇＰとデータベース３５に格納された関連患者画像との比較と、撮影端末５で生成された薬剤画像ＩｍｇＭとデータベース３５に格納された関連薬剤画像との比較とに基づいて、指定された処方指示と、撮影端末５で生成された転送患者画像ＩｍｇＰと、撮影端末５で生成された転送薬剤画像ＩｍｇＭとの組み合わせが正しいか否かを判定する。つまり、本実施形態に係る病院情報システム１は、撮影端末５で生成された転送患者画像ＩｍｇＰおよび転送薬剤画像ＩｍｇＭと、データベース３５に格納された関連患者画像および関連薬剤画像とを比較することで、患者に対して処方指示に基づく薬剤が正しく投与されているか否かを判定している。これにより、本実施形態に係る病院情報システム１は、患者に対して処方指示に基づく薬剤が正しく投与されているか否かを判断するために用いていたバーコードの発行、バーコードが印刷されたリストバンドとラベルとの作成、患者へのリストバンドの配布、薬剤の容器へのラベルの貼り付け等の作業を行う必要がなくなり、医療従事者の作業負荷を低減することができる。また、リストバンドの配布ミス、ラベルの貼り間違いおよびバーコードの読み取りエラー等の過誤の発生を防ぐことができる。
【００７８】
なお、上記実施形態において、比較する患者画像の特徴量が複数存在する場合において、転送患者画像ＩｍｇＰにおける複数の特徴量と関連患者画像における複数の特徴量との一致率がすべて所定の閾値以上である場合、処理回路３６は、転送患者画像ＩｍｇＰと関連患者画像とが一致すると判定している。また、患者画像ＩｍｇＰにおける複数の特徴量と関連患者画像における複数の特徴量とに関する少なくとも一つの一致率が所定の閾値未満である場合、処理回路３６は、転送患者画像ＩｍｇＰと関連患者画像とが一致しないと判定している。しかしながら、本実施形態に係る処理回路３６は、これに限定されない。例えば、転送患者画像ＩｍｇＰにおける複数の特徴量と関連患者画像における複数の特徴量とに関する少なくとも一つの一致率が所定の閾値以上である場合、処理回路３６は、転送患者画像ＩｍｇＰと関連患者画像とが一致すると判定してもよい。また、転送患者画像ＩｍｇＰにおける複数の特徴量と関連患者画像における複数の特徴量との一致率がすべて所定の閾値未満である場合、処理回路３６は、転送患者画像ＩｍｇＰと関連患者画像とが一致しないと判定してもよい。
【００７９】
また、上記実施形態において、比較する薬剤画像の特徴量が複数存在する場合において、転送薬剤画像ＩｍｇＭの複数の特徴量と関連薬剤画像の複数の特徴量との一致率がすべて所定の閾値以上である場合、処理回路３６は、転送薬剤画像ＩｍｇＭと関連薬剤画像とが一致すると判定している。また、転送薬剤画像ＩｍｇＭの複数の特徴量と関連薬剤画像の複数の特徴量とに関する少なくとも一つの一致率が所定の閾値未満である場合、処理回路３６は、転送薬剤画像ＩｍｇＭと関連薬剤画像とが一致しないと判定している。しかしながら、本実施形態における処理回路３６は、これに限定されない。例えば、転送薬剤画像ＩｍｇＭの複数の特徴量と関連薬剤画像の複数の特徴量とに関する少なくとも一つの一致率が所定の閾値以上である場合、処理回路３６は、転送薬剤画像ＩｍｇＭと関連薬剤画像とが一致すると判定してもよい。また、転送薬剤画像ＩｍｇＭの複数の特徴量と関連薬剤画像の複数の特徴量との一致率がすべて所定の閾値未満である場合、処理回路３６は、転送薬剤画像ＩｍｇＭと関連薬剤画像とが一致しないと判定してもよい。
【００８０】
また、上記実施形態において、処理回路３６は、転送患者画像ＩｍｇＰと関連患者画像との比較と、転送薬剤画像ＩｍｇＭと関連薬剤画像との比較とに基づいて、指定された処方指示と、転送患者画像ＩｍｇＰと、転送薬剤画像ＩｍｇＭとの組み合わせが正しいか否かを判定している。しかしながら、本実施形態における処理回路３６は、これに限定されない。例えば、箱に患者を識別可能な患者ＩＤの記載されたラベルを添付し、当該箱の中に実行対象の患者の投与予定の薬剤を入れる。この薬剤を入れた箱を撮影端末５により撮影して、患者に関する情報と薬剤に関する情報とを含む画像を生成する。本実施形態における処理回路３６は、撮影端末５により生成された患者に関する情報と薬剤に関する情報とを含む画像と、関連患者画像と、関連薬剤画像との比較に基づいて、指定された処方指示と、転送患者画像ＩｍｇＰと、転送薬剤画像ＩｍｇＭとの組み合わせが正しいか否かを判定してもよい。
【００８１】
また、本実施形態における撮影端末５は、ネットワークＮＷを介して転送患者画像ＩｍｇＰと転送薬剤画像ＩｍｇＭとを転送している。しかしながら、本実施形態における撮影端末５は、これに限定されない。例えば、ベッドサイド端末４と撮影端末５とを直接接続して転送患者画像ＩｍｇＰと転送薬剤画像ＩｍｇＭとを転送してもよい。
【００８２】
また、撮影端末５が上記ＰＤＡ、スマートフォン、タブレット端末、およびウェアラブル端末等である場合、撮影端末５に備えられる表示回路に上記判定結果を表示してもよい。
【００８３】
また、上記実施形態に係る病院情報システム１は、ベッドサイド端末４と、撮影端末５とを分けている。しかしながら、実施形態に係る病院情報システム１は、これに限定されない。例えば、図１６に示すように光学画像を生成可能な一つの端末により、ベッドサイド端末４と撮影端末５との機能を実現してもよい。
【００８４】
（総括）  
上記の説明の通り、実施形態に係る病院情報システムは、データベースと、入力部と、取得部と、判定部とを備える。データベースは、患者へ処方する薬剤に関する複数の処方指示と、複数の患者に関する複数の患者画像と、複数の薬剤に関する複数の薬剤画像とを関連付けて格納する。入力部は、データベースに格納された複数の処方指示の中から実行対象の処方指示を指定する、操作者からの指定操作を受け付ける。取得部は、薬剤投与の実行対象の患者に関する患者画像と、実行対象の患者への投与予定の薬剤に関する薬剤画像とを取得する。判定部は、取得された患者画像と複数の患者画像のうちの指定された処方指示に関連付けられた患者画像との比較と、取得された薬剤画像と複数の薬剤画像のうちの指定された処方指示に関連付けられた薬剤画像との比較とに基づいて、指定された処方指示と、取得された患者画像と、取得された薬剤画像との組み合わせが正しいか否かを判定する。
【００８５】
上記の構成により、実施形態に係る病院情報システムは、患者に対して処方指示に基づく薬剤が正しく投与されているか否かを判断するために用いていたバーコードの発行、バーコードが印刷されたリストバンドとラベルとの作成、患者へのリストバンドの配布、薬剤の容器へのラベルの貼り付け等の作業を行う必要がなくなり、医療従事者の作業負荷を低減することができる。また、リストバンドの配布ミス、ラベルの貼り間違いおよびバーコードの読み取りエラー等の過誤の発生を防ぐことができる。
【００８６】
かくして、医療機関における医療過誤の発生を防止することができる病院情報システムおよび判定プログラムを提供することができる。
【００８７】
また、上記説明において用いた「所定のプロセッサ」という文言は、例えば、専用又は汎用のprocessor、circuitry、processing circuitry、operation circuitry、arithmetic circuitry、あるいは、特定用途向け集積回路（ＡＳＩＣ：Application Specific Integrated Circuit）、プログラマブル論理デバイス（例えば、単純プログラマブル論理デバイス（ＳＰＬＤ：Simple Programmable Logic Device）、複合プログラマブル論理デバイス（ＣＰＬＤ：Complex Programmable Logic Device）、及びフィールドプログラマブルゲートアレイ（ＦＰＧＡ：Field Programmable Gate Array）等を意味する。また、本実施形態の各構成要素（各処理部）は、単一のプロセッサに限らず、複数のプロセッサによって実現するようにしてもよい。さらに、複数の構成要素（複数の処理部）を、単一のプロセッサによって実現するようにしてもよい。
【００８８】
以上、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれるものである。
【符号の説明】
【００８９】
１…病院情報システム、２…問診用端末、３…医用情報管理装置、４…ベッドサイド端末、５…撮影端末、６…ベッドサイド端末、３１…入力インターフェース（ＩＦ）回路、３２…通信インターフェース（ＩＦ）回路、３３…表示回路、３４…管理装置制御回路、３５…データベース、３６…処理回路、４１…入力インターフェース（ＩＦ）回路、４２…通信インターフェース（ＩＦ）回路、４３…表示回路、４４…記憶回路、４５…端末制御回路、４６…処理回路、３６１…処方指示一覧転送機能、３６２…判定機能、３６３…判定結果通知機能、３６４…実施記録管理機能、４６１…アプリケーション機能、４６２…処方指示一覧表示機能、４６３…画像転送機能、ＮＷ…ネットワーク、ＢＵＳ…バス。
【図１】
2018049526.tif 000003
【図２】
2018049526.tif 000004
【図３】
2018049526.tif 000005
【図４】
2018049526.tif 000006
【図５】
2018049526.tif 000007
【図６】
2018049526.tif 000008
【図７】
2018049526.tif 000009
【図８】
2018049526.tif 000010
【図９】
2018049526.tif 000011
【図１０】
2018049526.tif 000012
【図１１】
2018049526.tif 000013
【図１２】
2018049526.tif 000014
【図１３】
2018049526.tif 000015
【図１４】
2018049526.tif 000016
【図１５】
2018049526.tif 000017
【図１６】
2018049526.tif 000018